(57)【要約】【課題】新鮮で意外な操作感が得られ、且つデザイン性を向上することができる。【解決手段】スマートフォンＳと通信可能な通信部３７と、通信部３７を介して、スマートフォンＳから入力した音声信号を再生すると共に、曲調に応じてパラメータを可変して音声処理を実施する再生部３９と、筐体３１上の載置領域５１上における操作指示体Ａの載置位置を検出する位置検出部４７と、検出した載置位置の位置情報に基づいて、スマートフォンＳから入力した音声信号に対する音声処理の複数種の属性のうち１の属性を選択する選択部４８と、を備えた。【選択図】図６
2014049804.tif 000002
【特許請求の範囲】
【請求項１】
携帯端末と通信可能な通信部と、
前記通信部を介して、前記携帯端末から入力した前記音声信号を再生すると共に、前記属性に応じてパラメータを可変して音声処理を実施する再生部と、
筐体上の所定の領域上における操作指示体の載置位置を検出する位置検出部と、
検出した前記載置位置の位置情報に基づいて、前記携帯端末から入力した音声信号に対する音声処理の複数種の属性のうち１の属性を選択する属性選択部と、を備えたことを特徴とするオーディオ装置。
【請求項２】
前記属性は、曲調、音量およびＢＰＭ（Ｂｅａｔｓ  Ｐｅｒ  Ｍｉｎｕｔｅ）のいずれか１つであることを特徴とする請求項１に記載のオーディオ装置。
【請求項３】
環境演出用の照明を行う照明部と、
前記属性選択部の選択結果に基づいて、相互に異なる照明となるように前記照明部を制御する照明制御部と、を更に備えたことを特徴とする請求項１に記載のオーディオ装置。
【請求項４】
矩形平板状の外観を有すると共に、前記通信部、前記再生部、前記位置検出部および前記属性選択部を搭載したコントロール機器と、
矩形平板状の外観を有すると共に、スピーカー部を搭載した出力機器と、を備え、
前記コントロール機器と前記出力機器とは、相互の接合部において着脱自在に接合されていることを特徴とする請求項１に記載のオーディオ装置。
【請求項５】
前記コントロール機器と前記出力機器とは、接合状態で、前記出力機器を斜め上向きとし、且つ前記コントロール機器の１の辺と前記出力機器の１の辺とが脚部を構成するように、交差した外観形状に形成されていることを特徴とする請求項４に記載のオーディオ装置。
【請求項６】
前記出力機器の前方に位置して前記コントロール機器の表面には、前記携帯端末が着脱自在に接続されると共に前記通信部に連なる端末接続部が配設されていることを特徴とする請求項５に記載のオーディオ装置。
【請求項７】
携帯端末と通信可能な通信部と、
前記通信部を介して、前記携帯端末から入力した音源情報を再生する再生部と、
筐体上の所定の領域上における操作指示体の載置位置を検出する位置検出部と、
検出した前記載置位置の位置情報に基づいて、前記携帯端末から入力した複数種の前記音源情報のうち１の音源情報を選択する情報選択部と、を備えたことを特徴とするオーディオ装置。
【請求項８】
環境演出用の照明を行う照明部と、
前記情報選択部の選択結果に基づいて、相互に異なる照明となるように前記照明部を制御する照明制御部と、を更に備えたことを特徴とする請求項７に記載のオーディオ装置。
【発明の詳細な説明】
【技術分野】
【０００１】
本発明は、スマートフォン等の携帯端末から入力した音声信号を再生するオーディオ装置に関するものである。
【背景技術】
【０００２】
従来、この種のオーディオ装置として、携帯端末（携帯電話機）に接続され、携帯端末からの音声信号（音楽信号）を受けるスピーカー入力コネクタと、音声信号を、高音域、中音域、低音域に分離し、増幅して分配するスピーカーアンプと、分離・増幅された音声信号を受け、これを出力する複数のスピーカーと、を備えたドッキングシステムが知られている（特許文献１参照）。このドッキングシステムでは、スピーカーアンプが、スピーカー毎の音量調整手段を備えており、ユーザーは、筐体上に配置された操作ツマミを操作することで、各スピーカーから出力される音量を調整することができる。
【先行技術文献】
【特許文献】
【０００３】
【特許文献１】特開２００６−９４３６７号公報
【発明の概要】
【発明が解決しようとする課題】
【０００４】
しかしながら、このような構成では、操作ツマミによって、操作を行うので、新鮮な操作感が得られないという問題があった。また、操作ツマミや操作ボタンを用いると、操作子の形状が制限されてしまうので、デザイン性が低くなってしまうという問題もある。
【０００５】
本発明は、新鮮で意外な操作感が得られ、且つデザイン性を向上することができるオーディオ装置を提供することを課題としている。
【課題を解決するための手段】
【０００６】
本発明のオーディオ装置は、携帯端末と通信可能な通信部と、通信部を介して、携帯端末から入力した音声信号を再生すると共に、属性に応じてパラメータを可変して音声処理を実施する再生部と、筐体上の所定の領域上における操作指示体の載置位置を検出する位置検出部と、検出した載置位置の位置情報に基づいて、携帯端末から入力した音声信号に対する音声処理の複数種の属性のうち１の属性を選択する属性選択部と、を備えたことを特徴とする。
【０００７】
この場合、属性は、曲調、音量およびＢＰＭ（Ｂｅａｔｓ  Ｐｅｒ  Ｍｉｎｕｔｅ）のいずれか１つであることが好ましい。
【０００８】
これらの構成によれば、操作指示体を所定の領域に「置く」操作によって、１の属性を選択することができるため、今までにない新鮮な操作感を得ることができる。また、操作指示体側に特段の機能を必要としないため、形状は元より材質も制限されることがなく、操作指示体を自由なデザインで作成することができる。よって、デザイン性を向上することができる。さらに、操作指示体として、必ずしも製造者側が定めたものを用いる必要はなく、ユーザーが所持している小物（例えば、模型やアクセサリー等）を用いることもできる。
【０００９】
この場合、環境演出用の照明を行う照明部と、属性選択部の選択結果に基づいて、相互に異なる照明となるように照明部を制御する照明制御部と、を更に備えたことが好ましい。
【００１０】
この構成によれば、選択結果に基づいて相互に異なる照明となるため、操作指示体によって、どの属性を選択したかを容易に認識することができる。
【００１１】
上記のオーディオ装置において、矩形平板状の外観を有すると共に、通信部、再生部、位置検出部および属性選択部を搭載したコントロール機器と、矩形平板状の外観を有すると共に、スピーカー部を搭載した出力機器と、を備え、コントロール機器と出力機器とは、相互の接合部において着脱自在に接合されていることが好ましい。
【００１２】
この場合、コントロール機器と出力機器とは、接合状態で、出力機器を斜め上向きとし、且つコントロール機器の１の辺と出力機器の１の辺とが脚部を構成するように、交差した外観形状に形成されていることが好ましい。
【００１３】
これらの構成によれば、よりデザイン性の高いオーディオ装置を提供することができる。また、コントロール機器および出力機器をそれぞれ複数種用意し、これを選択可能とすることで、ユーザーによるカスタム性を向上することができる。
【００１４】
また、出力機器の前方に位置してコントロール機器の表面には、携帯端末が着脱自在に接続されると共に通信部に連なる端末接続部が配設されていることが好ましい。
【００１５】
この構成によれば、携帯端末を前方位置に装着し、且つその操作面を前方向きになるように装着することができるので、装着状態で携帯端末を操作する際にも、操作しやすい。
【００１６】
本発明の他のオーディオ装置は、携帯端末と通信可能な通信部と、通信部を介して、携帯端末から入力した音源情報を再生する再生部と、筐体上の所定の領域上における操作指示体の載置位置を検出する位置検出部と、検出した載置位置の位置情報に基づいて、携帯端末から入力した複数種の音源情報のうち１の音源情報を選択する情報選択部と、を備えたことを特徴とする。
【００１７】
この構成によれば、操作指示体を所定の領域に「置く」操作によって、１の音源情報を選択することができるため、今までにない新鮮な操作感を得ることができる。また、操作指示体側に特段の機能を必要としないため、形状は元より材質も制限されることがなく、操作指示体を自由なデザインで作成することができる。よって、デザイン性を向上することができる。さらに、操作指示体として、製造者側が定めたものを用いる必要はなく、ユーザーが所持している小物（例えば、模型やアクセサリー等）を用いることもできる。
【００１８】
この場合、環境演出用の照明を行う照明部と、情報選択部の選択結果に基づいて、相互に異なる照明となるように照明部を制御する照明制御部と、を更に備えることが好ましい。
【００１９】
この構成によれば、選択結果に基づいて相互に異なる照明となるため、操作指示体によって、どの音源情報を選択したかを容易に認識することができる。
【図面の簡単な説明】
【００２０】
【図１】本発明の一実施形態に係るオーディオ装置を示した斜視図（ａ）および断面図（ｂ）である。
【図２】オーディオ装置のスピーカー機器（ａ）およびアンプ機器（ｂ）を示した平面図である。
【図３】スピーカー機器およびアンプ機器の接合構造を示した斜視図である。
【図４】オーディオ装置の内部構成を示したブロック図である。
【図５】（ａ）は、載置操作部廻りを示した図である。（ｂ）は、載置操作部の第１変形例を示した図である。（ｃ）は、載置操作部の第２変形例を示した図である。
【図６】オーディオ装置による曲調変更動作を示したフローチャートである。
【図７】第２実施形態のオーディオ装置を示したブロック図である。
【図８】第２実施形態における載置操作部廻りを示した図である。
【図９】操作指示体を受話器として利用した例を示した図である。
【発明を実施するための形態】
【００２１】
以下、添付の図面を参照して、本発明の一実施形態に係るオーディオ装置について説明する。実施形態では、本発明を適用したオーディオ装置を例示する。このオーディオ装置は、スマートフォン（携帯端末）を装着し、スマートフォンからの音声信号を出力するスマートフォン用の音声出力装置（いわゆるドックスピーカー）である。特に、本オーディオ装置は、操作指示体を所定の領域に「置く」操作によって、曲調を選択することができる機能を有している。なお、本実施形態では、操作指示体は、オーディオ装置１から独立し、電子部品を内蔵しない単なる置物である。
【００２２】
図１に示すように、オーディオ装置１は、矩形平板状の外観を有するスピーカー機器（出力機器）１１と、矩形平板状の外観を有すると共に、スマートフォンＳを装着するアンプ機器（コントロール機器）１２と、を備え、これらを相互の接合部２５、３５において着脱自在に接合して構成されている。また、オーディオ装置１は、スピーカー機器１１およびアンプ機器１２を側面視で直交するように接合して成る。
【００２３】
図１および図２に示すように、スピーカー機器１１は、矩形平板状の筐体２１により外観が形成されており、表面側が斜め上向きとなるように、斜めに配設されている。すなわち、スピーカー機器１１は、表面側がユーザーを向くように配設されている。また、スピーカー機器１１の表面側には、平面スピーカーで構成されたスピーカー部２２が配設されており、スピーカー部２２が斜め上（ユーザー側）を向いた構成となっている。一方、スピーカー機器１１の裏面側には、ＯＬＥＤ（有機ＥＬダイオードのアレイ）で構成された照明部２３が配設されている。
【００２４】
また、図２および図３に示すように、スピーカー機器１１には、そのアンプ機器１２との交差部分に、アンプ機器１２を接合するための接合部２５が配設されている。スピーカー機器１１の接合部２５は、筐体２１の上記交差部分に形成されたスリット部２５ａと、スリット部２５ａの端面に接合方向に向くように配設された雌側のコネクタ２５ｂと、を有している。スリット部２５ａは、上記交差部分において、筐体２１の一部をアンプ機器１２の厚みに相当する幅で横断方向にスリット状に除去して形成したものである。
【００２５】
図１および図２に示すように、アンプ機器１２は、横長の矩形平板状の筐体３１により外観が形成されており、スピーカー機器１１に直交するように、斜めに配設されている。また、アンプ機器１２の表面には、スピーカー機器１１の前方に位置して、スマートフォンＳを装着（着脱自在に接続）するドック部（端末接続部）３２と、操作指示体Ａを載置する載置操作部３３と、が配設されている。装着されたスマートフォンＳは、ドック部３２により、スピーカー機器１１に倣って配設されている。これにより、スマートフォンＳが斜め上向き（ユーザー向き）に配設されている。
【００２６】
さらに、図２および図３に示すように、アンプ機器１２には、そのスピーカー機器１１との交差部分に、スピーカー機器１１を接合するための接合部３５が配設されている。アンプ機器１２の接合部３５は、筐体３１の上記交差部分に形成されたスリット部３５ａと、スリット部３５ａの端面に接合方向に向くように配設された雄側のコネクタ３５ｂと、を有している。スリット部３５ａは、上記交差部分において、筐体３１の一部をスピーカー機器１１の厚みに相当する幅で横断方向にスリット状に除去して形成したものである。
【００２７】
図１に示すように、オーディオ装置１では、両スリット部２５ａ、３５ａを横断方向において相互に嵌め合わせることで、スピーカー機器１１およびアンプ機器１２が着脱自在に接合される。そして、スピーカー機器１１とアンプ機器１２とは、接合状態で、直交した外観形状（断面プラス形状）となり、スピーカー機器１１の１の辺（下端部）とアンプ機器１２の１の辺（後端部）とが脚部を構成する。すなわち、アンプ機器１２は、斜め上向きのスピーカー機器１１を支えるスタンドとしても機能している。また、両スリット部２５ａ、３５ａを嵌め合わせることで、これに伴って両コネクタ２５ｂ、３５ｂが接続され、スピーカー機器１１およびアンプ機器１２が電気的に接続（リンク）される。
【００２８】
次に図４を参照して、スピーカー機器１１およびアンプ機器１２の内部構成について説明する。図４に示すように、スピーカー機器１１は、内部装置として、上記のスピーカー部２２、照明部２３およびコネクタ２５ｂを備えている。スピーカー部２２は、無指向性の平面スピーカー（ＨＶＴ方式）で構成されており、アンプ機器１２から転送された音声信号を、無指向で音声出力（放音）する。照明部２３は、ＯＬＥＤで構成されており、オーディオ装置１背面の壁を利用して間接照明（環境演出用の照明）を行う。
【００２９】
アンプ機器１２は、内部装置として、上記のドック部３２、載置操作部３３およびコネクタ３５ｂと、音声信号を増幅するアンプ部３６と、スマートフォンＳと通信可能な通信部３７と、照明部２３を制御する照明制御部３８と、オーディオ装置１の各部を制御する再生部３９と、を備えている。通信部３７は、ドック部３２に連なり、ドック部３２を介して、スマートフォンＳとの通信を行うものであり、主に、スマートフォンＳからのコンテンツ（音声信号）を受信する。
【００３０】
載置操作部３３は、操作指示体Ａ（図１参照）を載置して、スマートフォンＳから入力する音声信号の曲調を選択するものである。具体的には、載置操作部３３は、操作指示体Ａを載置する載置領域（所定の領域）５１を有した載置部４６と、載置領域５１上における操作指示体Ａの載置位置を検出する位置検出部４７と、検出した載置位置の位置情報に基づいて、複数種の曲調から１の曲調を選択する選択部（属性選択部）４８と、を備えている。位置検出部４７は、例えば、載置領域５１を横断するように赤外線検出光を照射する赤外線センサーや、載置領域５１に重畳するように形成したタッチセンサー等で構成されている。
【００３１】
図５（ａ）に示すように、載置部４６の載置領域５１には、複数種の曲調に対応した複数の分割領域５２が設定されている。一方、選択部４８は、操作指示体Ａが載置された分割領域５２に応じて、曲調を選択する。なお、図５（ａ）に示すように、各分割領域５２には、それに対応する曲調を示す表示が形成されている。
【００３２】
再生部３９は、スマートフォンＳからの音声信号（コンテンツ）を再生する。具体的には、再生部３９は、通信部３７を介してスマートフォンＳから入力した音声信号を受信し、アンプ部３６を介して、スピーカー機器１１に転送する。
【００３３】
また、再生部３９は、選択された曲調（以下、選択曲調と呼称）に応じてパラメータを可変して音声信号に対する音声処理を実施する。具体的には、載置操作部３３の操作（曲調の選択）に伴って、選択曲調に基づく音声処理の実施を指示する制御信号をスマートフォンＳに送信し、スマートフォンＳに、選択曲調に基づく音声処理を実施させる。すなわち、スマートフォンＳに、選択曲調に応じてパラメータを可変させて音声信号に対する音声処理を実施させる。
【００３４】
ここで図６を参照して、オーディオ装置１による曲調変更動作について説明する。この曲調変更動作は、載置領域５１上に新規に操作指示体Ａを置いた時や、載置領域５１上のある位置から別の位置に操作指示体Ａを置いた時に、これに起因して実行されるものである。
【００３５】
図６に示すように、載置部４６の載置領域５１上に、操作指示体Ａが置かれると（Ｓ１：Ｙｅｓ）、オーディオ装置１は、位置検出部４７により、操作指示体Ａの載置位置を検出する（Ｓ２）。そして、選択部４８により、検出した載置位置に基づいて、複数種の曲調から１の曲調を選択する（Ｓ３）。例えば、載置位置が曲調「ＪＡＺＺ」の分割領域５２である場合には、曲調「ＪＡＺＺ」を選択する。
【００３６】
曲調が選択されたら、再生部３９により、選択曲調に基づく音声処理の実施を指示する制御信号を、スマートフォンＳに送信する（Ｓ４）。これに対し、スマートフォンＳは、当該制御信号を受信し（Ｓ５）、当該制御信号に従って、選択曲調に基づく音声信号の音声処理を実施する（Ｓ６）。すなわち、選択曲調に応じてパラメータを可変して音声信号に対する音声処理を実施する。この結果、スピーカー部２２により、選択された曲調によって、再生／処理後の音声信号が出力される。
【００３７】
以上、第１実施形態の構成によれば、操作指示体Ａを載置領域５１に「置く」操作によって、１の属性を選択することができるため、今までにない新鮮な操作感を得ることができる。また、操作指示体Ａ側に特段の機能を必要としないため、形状は元より材質も制限されることがなく、操作指示体Ａを自由なデザインで作成することができる。よって、デザイン性を向上することができる。さらに、操作指示体Ａとして、必ずしも製造者側が定めたものを用いる必要はなく、ユーザーが所持している小物（例えば、模型やアクセサリー等）を用いることもできる。
【００３８】
また、スピーカー機器１１の前方に位置してアンプ機器１２の表面に、ドック部３２が配設されていることで、スマートフォンＳを前方位置に装着し、且つその操作面を前方向きになるように装着することができるので、装着状態でスマートフォンＳを操作する際にも、操作しやすい。
【００３９】
なお、第１実施形態において、照明制御部３８により、選択部４８の選択結果に基づいて、相互に異なる照明となるように照明部２３を制御する構成であっても良い。例えば、選択された曲調に応じて、照明の色を変更する構成とする。かかる場合、照明を認識することで、操作指示体Ａによって、どの曲調を選択したかを容易に認識することができる。
【００４０】
また、第１実施形態においては、選択部４８により、操作指示体Ａの載置位置に基づいて、複数種の曲調のうち１の曲調を選択する構成であったが、音声信号に対する音声処理の属性を選択する構成であれば、曲調を選択する構成に限るものではない。例えば、載置位置に基づいて、複数種のＢＰＭ（Ｂｅａｔｓ  Ｐｅｒ  Ｍｉｎｕｔｅ：テンポ）のうち、１のＢＰＭを選択する構成であっても良い。かかる場合、図５（ｂ）に示すように、載置領域５１には、複数種のＢＰＭに対応した複数の分割領域５２が設定されている。また、例えば、載置位置に基づいて、複数種の音量のうち１の音量を選択する構成であっても良い。かかる場合、図５（ｃ）に示すように、載置領域５１には、複数種の音量に対応した複数の分割領域５２が設定されている。
【００４１】
次の図７および図８を参照して、第２実施形態のオーディオ装置１について、異なる部分のみ説明する。図７に示すように、本実施形態のオーディオ装置１は、上記選択部４８に代えて、情報選択部６１を備えている。情報選択部６１は、位置検出部４７が検出した載置位置の位置情報に基づいて、スマートフォンＳから入力する複数種の音源情報のうち１の音源情報を選択する。また、載置部４６の載置領域５１には、複数種の音源情報（環境音）に対応した複数の分割領域５２が設定されている（図８参照）。ここでは複数種の音源情報として、鳥の鳴き声や波の音等の複数種の自然環境音を用いるが、複数種の音源情報をユーザー自ら登録する構成としても良い。
【００４２】
一方、再生部３９は、選択された音源情報を再生する。具体的には、再生部３９は、選択した音源情報の音声信号の転送を指示する制御信号を、スマートフォンＳに送信する。これを受けたスマートフォンＳは、制御信号に従って、当該音源情報の音声信号をオーディオ装置１に転送して入力する。そして、再生部３９は、通信部３７を介してスマートフォンＳから入力した音声信号を受信し、アンプ部３６を介して、スピーカー機器１１に転送する。この結果、スピーカー機器１１のスピーカー部２２により、選択した音源情報の音声が出力される。
【００４３】
以上、第２実施形態の構成によれば、操作指示体Ａを所定の領域に「置く」操作によって、１の音源情報を選択することができるため、今までにない新鮮な操作感を得ることができる。また、操作指示体Ａ側に特段の機能を必要としないため、形状は元より材質も制限されることがなく、操作指示体Ａを自由なデザインで作成することができる。よって、デザイン性を向上することができる。さらに、操作指示体Ａとして、製造者側が定めたものを用いる必要はなく、ユーザーが所持している小物を用いることもできる。
【００４４】
なお、第２実施形態において、照明制御部３８により、情報選択部６１の選択結果に基づいて、相互に異なる照明となるように照明部２３を制御する構成であっても良い。例えば、選択された音源情報に応じて、照明の色を変更する構成とする。かかる場合、照明を認識することで、操作指示体Ａによって、どの音源情報を選択したかを容易に認識することができる。
【００４５】
なお、上記各実施形態において、選択部４８の選択結果に基づいて、操作指示体Ａを相互に異なる色で発光させる構成であっても良い。例えば、操作指示体Ａを透明素材で構成し、載置部４６上の照明で操作指示体Ａを、選択結果に応じた色に発光させるようにしても良い。かかる場合、操作指示体Ａの色を認識することで、操作指示体Ａによって、どの属性／音源情報を選択したかを容易に認識することができる。
【００４６】
なお、上記各実施形態においては、操作指示体Ａの載置位置を検出する位置検出部４７を備え、操作指示体Ａの載置位置に基づいて、音声処理の属性や音源情報を選択する構成であったが、操作指示体Ａの種類を検出する種類検出部を備え、操作指示体Ａの種類に基づいて、音声処理の属性や音源情報を選択する構成であっても良い。ひいては、位置検出部４７および種類検出部を備え、操作指示体Ａの載置位置および種類に基づいて、音声処理の属性や音源情報を選択する構成であっても良い。
【００４７】
また、操作指示体Ａの載置の有無を検出する検出部を有し、載置の有無に基づいて、音声処理の属性や音源情報を選択する構成であっても良い。また、載置の有無に基づいて、スマートフォンＳやオーディオ装置１の機能のＯＮ／ＯＦＦを操作する構成であっても良い。例えば、操作指示体Ａが載置領域５１に載置されている時には、通話機能をＯＦＦとし、操作指示体Ａが取りさられ、操作指示体Ａが載置領域５１に載置されていない時には、通話機能をＯＮにして、通話可能とする構成であっても良い。かかる構成では、通話に係るマイクロフォンおよびスピーカーを、オーディオ装置１に搭載しても良いし、図９に示すように、マイクロフォンおよびスピーカーを操作指示体Ａに搭載し、操作指示体Ａを受話器として利用する構成であっても良い。
【００４８】
なお、上記各実施形態においては、載置領域５１が、筐体３１上の一か所に設けられた構成であったが、載置領域５１を複数個所に設ける構成であっても良い。そして、どの載置領域５１に、操作指示体Ａが載置されたか基づいて、音声処理の属性や音源情報の選択を行う構成であっても良い。
【００４９】
また、上記第１実施形態においては、再生部３９により、制御信号をスマートフォンＳに送信し、スマートフォンＳ側で音声処理を実施させる構成であったが、オーディオ装置１側で、スマートフォンＳから転送された音声信号に対する音声処理を実施する構成であっても良い。
【００５０】
さらに、上記各実施形態においては、外部接続のスマートフォンＳを接続するオーディオ装置１に本発明を適用したが、ソース機器（ＣＤプレイヤー等）を内蔵したオーディオ装置１に本発明を適用しても良い。
【符号の説明】
【００５１】
１：オーディオ装置、  １１：スピーカー機器、  １２：アンプ機器、  ２２：スピーカー部、  ２３：照明部、  ２５：接合部、  ３１：筐体、  ３２：ドック部、  ３５：接合部、  ３７：通信部、  ３８：照明制御部、  ３９：再生部、  ４７：位置検出部、  ４８：選択部、  ５１：載置領域、  ６１：情報選択部、  Ａ：操作指示体、  Ｓ：スマートフォン
【図１】
2014049804.tif 000003
【図２】
2014049804.tif 000004
【図３】
2014049804.tif 000005
【図４】
2014049804.tif 000006
【図５】
2014049804.tif 000007
【図６】
2014049804.tif 000008
【図７】
2014049804.tif 000009
【図８】
2014049804.tif 000010
【図９】
2014049804.tif 000011